【手続補正書】
【提出日】平成17年4月21日(2005.4.21)
【手続補正１】
【補正対象書類名】特許請求の範囲
【補正対象項目名】全文
【補正方法】変更
【補正の内容】
【特許請求の範囲】
【請求項１】
実質的に接線方向の吸込口と、実質的に軸方向の出口とを有するとともに断面が実質的に円形である渦流チャンバー形のエアロゾル化装置と、加圧ガス流に同伴した薬剤を吸込口に供給するように構成された吸込管とを備え、吸込管の断面積は、渦流チャンバーの吸込口に達するまで渦流チャンバーに向かって減少する、粉末状薬剤の吸入可能なエアロゾルを生成する加圧ガス動力粉末状乾燥粉末吸入器。
【請求項２】
内部に配置された粉末状薬剤が加圧ガス流に同伴され、吸込管に沿って吸込口に向かって渦流チャンバー内に供給されるように構成された薬剤同伴装置を含み、吸込管は、薬剤同伴装置から延びるとともに一定の断面積を有する第１部分と、
第１部分と吸込口の間にわたるとともに断面積が減少する第２部分を有する請求項１に記載の加圧ガス動力粉末状乾燥粉末吸入器。
【請求項３】
吸込管に沿った距離に対する断面積の減少速度は、１ｍｍ当たり１％〜３０％である請求項２に記載の加圧ガス動力粉末状乾燥粉末吸入器。
【請求項４】
吸込管に沿った距離に対する断面積の減少速度は、１ｍｍ当たり１０％未満である請求項３に記載の加圧ガス動力粉末状乾燥粉末吸入器。
【請求項５】
吸込管に沿った距離に対する断面積の減少速度は、１ｍｍ当たり５％未満である請求項４に記載の加圧ガス動力粉末状乾燥粉末吸入器。
【請求項６】
出口の直径に対する渦流チャンバーの直径の比は、４〜１２である請求項１〜５の何れか１つに記載の加圧ガス動力粉末状乾燥粉末吸入器。
【請求項７】
比は、５〜９である請求項６に記載の加圧ガス動力粉末状乾燥粉末吸入器。
【請求項８】
比は、６〜８である請求項７に記載の加圧ガス動力粉末状乾燥粉末吸入器。
【請求項９】
出口の長さは、出口の直径未満である請求項１〜８の何れか１つに記載の加圧ガス動力粉末状乾燥粉末吸入器。
【請求項１０】
出口の長さは、出口の直径の半分未満である請求項９に記載の加圧ガス動力粉末状乾燥粉末吸入器。
【請求項１１】
出口は、渦流チャンバーの壁を貫く通路として形成され、壁は、出口の長さが壁の最大厚さ未満になるように、出口に向かって先細りになる請求項１〜１０の何れか１つに記載の加圧ガス動力粉末状乾燥粉末吸入器。
【請求項１２】
出口は、渦流チャンバーの上壁に形成され、上壁は、軸方向に吸込口から渦流チャンバーの最大範囲を定める内面を有し、内面は、平坦である請求項１〜１１の何れか１つに記載の加圧ガス動力粉末状乾燥粉末吸入器。
【請求項１３】
吸込口は、渦流チャンバーの半径外側方向に吸込口の最大範囲を定める外壁を有し、渦流チャンバーの軸方向の外壁の範囲は、渦流チャンバーの軸方向の吸込口の最大範囲に実質的に等しく、外壁は、渦流チャンバーの壁と実質的に平行である請求項１〜１２の何れか１つに記載の加圧ガス動力粉末状乾燥粉末吸入器。
【請求項１４】
吸込管は、吸込口で渦流チャンバーに対し実質的に接線方向である外壁と、渦流チャンバーに向かう方向で外壁に向かって収束する内壁とを備える請求項１〜１３の何れか１つに記載の加圧ガス動力粉末状乾燥粉末吸入器。
【請求項１５】
使用の際にガス流に同伴した薬剤を吸込口に供給するように構成された弓形の吸込管を備える請求項１〜１４の何れか１つに記載の加圧ガス動力粉末状乾燥粉末吸入器。
【請求項１６】
吸込管は、渦流チャンバーを取り囲む螺旋形状である請求項１５に記載の加圧ガス動力粉末状乾燥粉末吸入器。
【請求項１７】
渦流チャンバーは、実質的に平坦な上面と、実質的に平坦な下面と、カーブした側面とを備え、吸込口は、カーブした側面に対して接線方向であり、吐出口は、エアロゾル化装置の外面からチャンバーの平坦な上面へ延びる請求項１に記載の加圧ガス動力粉末状乾燥粉末吸入器。
【請求項１８】
吸込口は、側面の開口でチャンバーと交わり、開口の高さは、少なくとも側面の高さの半分である請求項１７に記載の加圧ガス動力粉末状乾燥粉末吸入器。
【請求項１９】
吸込口は、上壁部と、下壁部と、第１側壁部と、第２側壁部とを有し、第１側壁部は、鋭角でチャンバーと交わり、第２側壁部の一部は、チャンバーの側面の一部を形成する請求項１８に記載の加圧ガス動力粉末状乾燥粉末吸入器。
【請求項２０】
渦流チャンバーは、渦流チャンバーの半径外側境界を定めると共に、渦流チャンバーの半径外側方向に吸込口の最大範囲を定める渦流チャンバー壁を有する請求項１〜１９の何れか１つに記載の加圧ガス動力粉末状乾燥粉末吸入器。
【請求項２１】
吸込口は、長方形の断面を有する請求項１〜２０の何れか１つに記載の加圧ガス動力粉末状乾燥粉末吸入器。
【請求項２２】
エアロゾル化装置は、軸方向に出口から渦流チャンバーの最大範囲、及び吸込口の軸方向の最大範囲を定める渦流チャンバーの下面を有する請求項１〜２１の何れか１つに記載の加圧ガス動力粉末状乾燥粉末吸入器。
【請求項２３】
エアロゾル化装置は、渦流チャンバーの半径外側境界を定める渦流チャンバ外壁を備え、吸込管は、吸込口で渦流チャンバー外壁に対し実質的に接線方向である外壁と、内壁とを有し、内壁は、渦流チャンバーに向かう方向で外壁に向かって収束する請求項１に記載の加圧ガス動力粉末状乾燥粉末吸入器。
【請求項２４】
吸込管は、弓形の吸込管である請求項２３に記載の加圧ガス動力粉末状乾燥粉末吸入器。
【請求項２５】
出口は、軸から距離Ｒであり、Ｒ＜＝１／５Ｘであり、Ｘは、実質的に円形の断面の最大半径である請求項２〜２４の何れか１つに記載の加圧ガス動力粉末状乾燥粉末吸入器。
【請求項２６】
渦流チャンバーは、実質的に円筒形の中央部を有し、接線方向の吸込口は、実質的に円筒形の中央部の縦軸に対する垂線から角度ファイであり、角度ファイは、＋／−４５度の範囲である請求項２５に記載の加圧ガス動力粉末状乾燥粉末吸入器。
【請求項２７】
吸込口は、真の接線に対して角度ベータでチャンバーのカーブした側面と交わり、角度ベータは、＋／−２０度の範囲である請求項２５又は２６に記載の加圧ガス動力粉末状乾燥粉末吸入器。
【請求項２８】
装置を通過する加圧ガス流を生成するポンプを備える請求項１〜２７の何れか１つに記載の加圧ガス動力粉末状乾燥粉末吸入器。
【請求項２９】
ポンプは、ポンプシリンダに収容されるピストンポンプである請求項２８に記載の加圧ガス動力粉末状乾燥粉末吸入器。
【請求項３０】
ポンプは、５〜２５ｍｌの容量を有し、バール基準で０．５〜１０バールの圧力を生成する能力を有する請求項２８又は２９に記載の加圧ガス動力粉末状乾燥粉末吸入器。
【請求項３１】
使用者が吸入を行うときに加圧ガスの蓄積を装置を通過させて解放するように動作可能な呼吸作動型装置を備える請求項１〜３０の何れか１つに記載の加圧ガス動力粉末状乾燥粉末吸入器。
【請求項３２】
渦流チャンバーの高さは、１〜８ｍｍである請求項１〜３１の何れか１つに記載の加圧ガス動力粉末状乾燥粉末吸入器。
【請求項３３】
渦流チャンバーの高さは、２ｍｍ未満である請求項３２に記載の加圧ガス動力粉末状乾燥粉末吸入器。
【請求項３４】
渦流チャンバーの高さは、１．６ｍｍである請求項３３に記載の加圧ガス動力粉末状乾燥粉末吸入器。
【請求項３５】
出口の直径は、０．５〜２．５ｍｍである請求項１〜３４の何れか１つに記載の加圧ガス動力粉末状乾燥粉末吸入器。
【請求項３６】
出口の直径は、０．６〜１．２ｍｍである請求項３５に記載の加圧ガス動力粉末状乾燥粉末吸入器。
【請求項３７】
出口の直径は、０．７ｍｍである請求項３６に記載の加圧ガス動力粉末状乾燥粉末吸入器。
【請求項３８】
渦流チャンバーの直径は、２〜１２ｍｍである請求項１〜３７の何れか１つに記載の加圧ガス動力粉末状乾燥粉末吸入器。
【請求項３９】
渦流チャンバーの直径は、６ｍｍ未満である請求項３８に記載の加圧ガス動力粉末状乾燥粉末吸入器。
【請求項４０】
実質的に円筒形の渦流チャンバーの直径は、５ｍｍである請求項３９に記載の加圧ガス動力粉末状乾燥粉末吸入器。
【請求項４１】
吸込口の半径方向の幅は、１ｍｍ未満である請求項１〜４０の何れか１つに記載の加圧ガス動力粉末状乾燥粉末吸入器。
【請求項４２】
吸込口の半径方向の幅は、０．６ｍｍ未満である請求項４１に記載の加圧ガス動力粉末状乾燥粉末吸入器。
【請求項４３】
吸込口の幅は、０．５ｍｍである請求項４２に記載の加圧ガス動力粉末状乾燥粉末吸入器。
【請求項４４】
（ａ）実質的に接線方向の吸込口と、実質的に軸方向の出口とを有するとともに断面が実質的に円形である渦流チャンバー形のエアロゾル化装置より上流の加圧ガス流中に粉末状薬剤を同伴させ、
（ｂ）ガス流が移動するにつれてその速度が増加するように渦流チャンバーに向かって断面積が減少する吸込管に沿ってガス流とそれに同伴した薬剤を導き、
（ｃ）薬剤が渦流チャンバー内でエアロゾル化されるように、ガス流とそれに同伴した薬剤を吸込管から吸込口を通って渦流チャンバー内に導き入れ、
（ｄ）出口を通ってガス流を渦流チャンバーから導き出す、
乾燥粉末状薬剤の吸入可能なエアロゾルを生成する方法。
【請求項４５】
少なくとも８０％の同伴粉末状薬剤は、ガス流が吸込口に導き入れられた後５００ｍｓ以内に出口を通過する請求項４４に記載の方法。
【請求項４６】
ガス流とそれに同伴した薬剤を渦流チャンバー内に導き入れる工程（ｃ）は、渦流チャンバーの１以上の壁に凝集粒子を沈着させ、
前記粒子を細分化するために、渦流チャンバーを通るガス流により沈着凝集粒子にせん断力を加える工程を含む請求項４４又は４５に記載の方法。
【請求項４７】
出口の外側３００ｍｍの距離でのガス流の速度は、吸込口でのガス流の速度未満である請求項４４〜４６の何れか１つに記載の方法。
【請求項４８】
出口の外側５０ｍｍの距離でのガス流の速度は、吸込口でのガス流の速度未満である請求項４４〜４７の何れか１つに記載の方法。